(57)【特許請求の範囲】
【請求項１】
インターネットまたはイントラネットを介してホームページを提供するＷＷＷサーバーと、
ネットワークを介して前記ＷＷＷサーバーに接続されたクライアントとを備えたＷＷＷサーバーシステムにおいて、
前記ＷＷＷサーバーは、
前記ホームページのＵＲＬを含む基本情報と、前記ホームページで使用するカテゴリーを定義したサイト構成情報とを含んでホームページの基本構成に関する情報を格納した第１のデータベースと、
前記ホームページを構成する複数のレイアウト情報と、前記ホームページに掲載されるコンテンツ情報を格納した第２のデータベースと、
前記クライアントからの入力に基づいて、前記第１のデータベースに格納された前記カテゴリーを選択してホームページの基本構成に関する情報をリアルタイムで設定する基本構成設定手段と、前記クライアントからの入力に基づいて、前記第２のデータベースに格納されたレイアウト情報を選択し、当該レイアウト情報にコンテンツを設定し、前記レイアウト情報に前記カテゴリーを関連付ける詳細内容設定手段と、を含むＷｅｂサイト管理部と、
前記インターネットまたはイントラネットからホームページの送信要求があったときに、前記Ｗｅｂサイト管理部で設定された基本構成及び関連付けに基づいて、前記第１及び第２のデータベースに格納された情報からホームページを生成するホームページ生成手段とを備え、
前記クライアントは、
ブラウザまたはデータベースクライアントシステムを介して前記Ｗｅｂサイト管理部の基本構成設定手段から前記第１のデータベースの設定を行うとともに、前記Ｗｅｂサイト管理部の詳細内容設定手段から前記第２のデータベースに格納されたコンテンツを更新することを特徴とするＷＷＷサーバーシステム。
【請求項２】
前記詳細内容設定手段は、前記クライアントからの入力に基づいて、第２のデータベースに格納されたコンテンツと前記レイアウト情報との関連付けを作成または変更するコンテンツ情報設定手段を有することを特徴とする請求項１に記載のＷＷＷサーバーシステム。
【請求項３】
前記レイアウト情報は、少なくとも背景情報、画像情報及び配置情報が複数設定されており、前記詳細内容設定手段は、これらのレイアウト情報をそれぞれ選択することを特徴とする請求項１に記載のＷＷＷサーバーシステム。
【発明の詳細な説明】
【０００１】
【発明の属する技術分野】
本発明は、インターネットまたはイントラネットを介して情報を提供するＷＷＷサーバーシステムの改良に関するものである。
【０００２】
【従来の技術】
従来から、インターネットやイントラネット（ＴＣＰ／ＩＰ技術を用いた企業内ネットワーク）に接続したＷＷＷ（World Wide Web）サーバーを介して情報を発信することが行われており、ＷＷＷサーバーに開設したホームページを介して、パソコンなどのクライアントでは自由に閲覧することができる。
【０００３】
特に、企業などにおいては、自社の紹介、自社製品の広告及びサポートに加えて、人材募集等の情報をインターネットから外部へ提供する一方、社内のイントラネットにおいては、データベース等を共有することなどにより、情報伝達の高速化と業務の効率化を図っている。
【０００４】
しかし、ホームページ（Webページ）を開設、運用する際には、ＨＴＭＬ（Hyper Text Markup Language）の言語等を習得する必要があるのに加え、さらに、このＨＴＭＬで記述した書類（ＨＴＭＬファイル）等を、ｆｔｐ（File Transfer Protocol）クライアントアプリケーション等によってＷＷＷサーバーの所定のディレクトリ（またはフォルダ）へ転送（アップロード）する必要があり、このｆｔｐクライアントアプリケーションの操作についても習熟しておく必要がある。
【０００５】
さらに、開設したホームページを運用する際には、ＨＴＭＬファイルを更新、追加することで、新たな情報を公開する訳であるが、ホームページを構成するＨＴＭＬファイルが複数ある場合、各ＨＴＭＬファイルのリンク状況を常に把握しておかないと、リンク切れのページが発生して、閲覧者が所望の情報を得られなくなって興味を低下させてしまうなどの問題があるため、ホームページの開設、運用及び保守を行うためには、専門知識に加えて多大な労力を必要としていた。
【０００６】
そこで、ＨＴＭＬ等を習得することなく容易にホームページを作成するものとして、特開平１０−２８３２９８号公報や特開平１０−２８９２０６号公報等が知られている。
【０００７】
前者は、クライアント側で、予め設定された画像データを、パーツとして選択することでホームページ（ＨＴＭＬファイルの集合体）を作成しておき、ＷＷＷサーバー側では、クライアントのＩＤとホームページの構成を対応づけておき、クライアントがＷＷＷサーバーと接続したとき、ＷＷＷサーバーは、クライアントのＩＤに応じて記憶していたホームページの内容を、クライアントから送信されたホームページの内容に更新するものである。
【０００８】
また、後者は、クライアントから送られてきたテキストデータを、ＷＷＷサーバーがホームページに変換して記憶し、この記憶した情報を提供するものである。
【０００９】
【発明が解決しようとする課題】
しかしながら、上記従来例においては、専門的知識を有しない者であっても、ホームページの作成を容易に行うことができるものの、予め設定された画像データの選択や、テキストデータを変換してホームページを構成するため、簡易な構成のホームページを作成するのみにとどまり、例えば、インターネットを介して企業が外部へ公開するホームページのように、お知らせ、製品情報、サービス、人材募集、ライブラリなど、多岐にわたるＨＴＭＬファイルからホームページ（＝Ｗｅｂサイト）を構成し、テキストデータや画像データ等の情報を作成、管理することが難しいという問題があった。
【００１０】
また、ホームページを構築する場合、ディレクトリ構成（ホームページ全体の構成）を決定して、各ディレクトリへＨＴＭＬファイルを配置した後は、日々の情報の更新などによって、各ディレクトリのリンクが切れないように、ＨＴＭＬファイルのリンク状況をチェックする必要があるが、このような管理作業は、結局前記従来例に示したように、ｆｔｐクライアントアプリケーション等によって、各ＨＴＭＬファイル毎に手作業で行わねばならず、専門的知識の習得と多大な労力を要するという問題が残ってしまう。
【００１１】
さらに、閲覧者の興味を引きつけるために、ホームページの改修（変更）を行うことも、ホームページの運用に際して重要ではあるが、上記従来例では、背景や挿し絵を統一しながら多数のＨＴＭＬファイルを更新することは、結果的に全てのＨＴＭＬファイルを書き換える必要があり、多大な労力及び費用を要してしまうという問題があった。
【００１２】
そこで本発明は、上記問題点に鑑みてなされたもので、専門的な知識を要することなく、容易かつ迅速にホームページの構築と運用を行うことが可能なＷＷＷサーバーシステムを提供することを目的とする。
【００１３】
【課題を解決するための手段】
第１の発明は、インターネットまたはイントラネットを介してホームページを提供するＷＷＷサーバーと、ネットワークを介して前記ＷＷＷサーバーに接続されたクライアントとを備えたＷＷＷサーバーシステムにおいて、
前記ＷＷＷサーバーは、前記ホームページのＵＲＬを含む基本情報と、前記ホームページで使用するカテゴリーを定義したサイト構成情報とを含んでホームページの基本構成に関する情報を格納した第１のデータベースと、前記ホームページを構成する複数のレイアウト情報と、前記ホームページに掲載されるコンテンツ情報を格納した第２のデータベースと、前記クライアントからの入力に基づいて、前記第１のデータベースに格納された前記カテゴリーを選択してホームページの基本構成に関する情報をリアルタイムで設定する基本構成設定手段と、前記クライアントからの入力に基づいて、前記第２のデータベースに格納されたレイアウト情報を選択し、当該レイアウト情報にコンテンツを設定し、前記レイアウト情報に前記カテゴリーを関連付ける詳細内容設定手段と、を含むＷｅｂサイト管理部と、前記インターネットまたはイントラネットからホームページの送信要求があったときに、前記Ｗｅｂサイト管理部で設定された基本構成及び関連付けに基づいて、前記第１及び第２のデータベースに格納された情報からホームページを生成するホームページ生成手段とを備え、前記クライアントは、ブラウザを介して前記Ｗｅｂサイト管理部の基本構成設定手段から前記第１のデータベースの設定を行うとともに、前記Ｗｅｂサイト管理部の詳細内容設定手段から前記第２のデータベースに格納されたコンテンツを更新する。
【００１５】
また、第２の発明は、前記第１の発明において、前記クライアントからの入力に基づいて、前記詳細内容設定手段は、第２のデータベースに格納されたコンテンツと前記レイアウト情報との関連付けを作成または変更するコンテンツ情報設定手段を有する。
【００１６】
また、第３の発明は、前記第１の発明において、前記レイアウト情報は、少なくとも背景情報、画像情報及び配置情報が複数設定されており、前記詳細内容設定手段は、これらのレイアウト情報をそれぞれ選択する。
【００１７】
【発明の効果】
したがって、第１の発明は、クライアントはブラウザを介して第１のデータベースに予め設定されたホームページの構成に関する情報を選択することでホームページの基本構成を決定した後、同じく、第２のデータベースに格納されたコンテンツを更新して、ホームページ上で公開する情報を作成または変更するとともに、このコンテンツと基本構成を関連付けておく。
【００１８】
ＷＷＷサーバーは、インターネットまたはイントラネットからホームページの送信要求があったときに、第１及び第２のデータベースに格納された情報からホームページを生成するようにしたため、ホームページの所有者は、前記従来例のようにＨＴＭＬファイルの編集や転送を行う必要がなく、クライアント側のブラウザから、第１のデータベースの設定と、第２のデータベースのコンテンツを更新するだけでよく、専門的な知識を要することなく、容易かつ迅速にホームページの構築と運用を行うことが可能となり、また、ホームページの変更、例えば、レイアウトを変更する場合には、基本構成の選択を変更するだけで良いため、変更に要する労力及び時間を大幅に短縮することが可能となる。
【００１９】
また、クライアント側のブラウザによって、第２のデータベースに予め設定されたレイアウト情報を選択するとともに、各ホームページの関連付けを示すサイト構成情報、すなわちＷｅｂページのカテゴリーを選択すると、ＷＷＷサーバーは、ホームページの所有者の選択結果に応じてホームページを生成するため、ホームページの構成を変更した場合には、リアルタイムで来訪者（送信要求）へ情報を提供することができ、ホームページの変更を容易にしながら、変更した結果を迅速に反映することができ、また、各ホームページの関連付けは、選択により設定するだけであるため、前記従来例のように、ホームページの運用中の更新などによって、各ページ間の関連付けを喪失することがなくなって、見栄えの良いホームページを維持することができる。
【００２０】
また、第２の発明は、第２のデータベースに格納されたコンテンツとレイアウト情報との関連付けを、クライアント側のブラウザを介した選択操作によって作成または変更することができるため、例えば、古いコンテンツと新しいコンテンツの置き換えなどを、前記従来例のように専門的知識を要することなく容易かつ迅速に行うことができる。
【００２１】
また、第３の発明は、クライアント側のブラウザから、予め設定された複数の背景情報、画像情報及び配置情報をそれぞれ選択して組み合わせることで、多様なホームページを構成でき、また、各ページの構成はレイアウト情報を選択するだけであるため、統一のとれたホームページを容易に構築でき、さらに、ホームページを変更する際には、配置情報、画像情報または配置情報の選択を任意に変更するだけで良いため、前記従来例のようにＨＴＭＬファイルの書き換えなどを行う必要がなく、変更に要する時間を大幅に減少させることが可能となる。
【００２２】
【発明の実施の形態】
以下、本発明の一実施形態を添付図面に基づいて説明する。
【００２３】
図１は、ＷＷＷ（World Wide Web）サーバーシステムの概要を示しており、ＷＷＷサーバー１（以下、Ｗｅｂサーバー１とする）は、インターネット１０を介して外部へ情報を提供する場合の一例を示し、このＷｅｂサーバー１にホームページを開設、運用するクライアント２は、ＬＡＮ（Local Area Network）等のネットワーク１１を介してＷｅｂサーバー１に接続される。なお、Ｗｅｂサーバー１とクライアント２は、図１の破線で示すように、インターネット１０を介して接続することも可能である。
【００２４】
Ｗｅｂサーバー１のハードウェアとしては、ＣＰＵ、メモリ、ハードディスク、ディスプレイ及び入力手段（キーボード及びマウスなど）等に加えて、インターネット１０や公衆回線と接続するための通信手段（ＮＩＣ＝Network Interface Card、ＴＡ＝Terminal Adapterあるいはモデム）等が配設される。
【００２５】
同様にクライアント２のハードウェアとしては、ＣＰＵ、メモリ、ハードディスク、ディスプレイ及び入力手段に加えて、ＬＡＮまたはインターネット１０と接続するための通信手段（ＮＩＣ、ＴＡまたはモデム）が配設される。
【００２６】
次に、Ｗｅｂサーバー１のソフトウェアとしては、ＯＳ（Operating System）に加えて、ホームページを構成する情報を格納するデータベースサーバーシステム５と、このデータベースサーバーシステム５の情報に基づいて、予め設定されたホームページをリアルタイムでＨＴＭＬファイルとして生成するＷｅｂサイトシステム３と、Ｗｅｂサーバー１に接続した来訪者のブラウザへ上記ＨＴＭＬファイルを転送するＨＴＴＰ（HyperText Transfer Protocol）サーバーシステム４が配設され、インターネット１０を介して情報を提供するＷｅｂサーバーシステムは、Ｗｅｂサイトシステム３を中心に、データベースサーバーシステム５とＨＴＴＰサーバーシステム４より構成される。
【００２７】
一方、クライアント２のソフトウェアとしては、ＯＳに加えて、Ｗｅｂサーバー１のデータベースサーバーシステム５と連動するデータベースクライアントシステム８と、Ｗｅｂサイトシステム３に接続してホームページの構成を設定するためのブラウザ６が配設される。
【００２８】
ここで、ＨＴＭＬファイルの集合体であるホームページをＷｅｂサイトとし、ホームページを構成する各ＨＴＭＬファイルをＷｅｂページとして、Ｗｅｂサーバーシステムについて、以下に詳述する。
【００２９】
まず、図２、図３において、Ｗｅｂサイトシステム３は、Ｗｅｂサイトの基本構成を定義するとともに、この定義に基づいてカバーページやメインメニューを生成するＷｅｂサイト構成システム３０と、Ｗｅｂサイト構成システム３０で定義されたメインメニューにより、関連付けられた各Ｗｅｂページをリアルタイムで生成するＷｅｂページ生成システム３１と、クライアント２のブラウザ６を介して、ＷｅｂサイトまたはＷｅｂページの構成を設定または変更するＷｅｂサイト管理システム３２から構成されている。
【００３０】
そして、Ｗｅｂサイトシステム３の情報等を格納するデータベースサーバーシステム５は、Ｗｅｂサイトの基本構成に関する情報であるＷｅｂサイト構成データベース５０（第１のデータベース）と、各Ｗｅｂページの情報を格納したＷｅｂページデータベース６０（第２のデータベース）に大別される。
【００３１】
図２、図３に示すように、Ｗｅｂサイト構成データベース５０は、ＵＲＬ（Uniform  Resource  Locator）またはＩＰアドレス等のＷｅｂサイトの基本的な情報からなる基本情報５１と、メニューの構成を定義した情報からなるＷｅｂサイト構成情報５２から構成される。
【００３２】
基本情報５１は、Ｗｅｂサイトを構築する際に設定する情報で、ＵＲＬ（またはＩＰアドレス）やセキュリティ情報、アクセス権等からなり、通常、一旦設定した後は、頻繁に変更することがない。
【００３３】
基本情報５１は、例えば、図５に示すように、組織名、ＵＲＬまたはＩＰアドレス、サイト名、サイトの説明等から構成される。
【００３４】
Ｗｅｂサイト構成情報５２は、図７、図８、図９に示すように、メニュー構成、すなわち、従来のＨＴＭＬファイルを用いるＷｅｂサイトにおけるディレクトリ構成を示すものである。
【００３５】
例えば、図８、図９に示すように、カバーページ及びメインメニューの下位には、「お知らせ」、「製品のご紹介」、「商品のご紹介」、「サービスのご紹介」、「実績」………「関連リンク集」、「ご意見・ご要望」等のＷｅｂページのカテゴリー５２Ａが予め設定されており、Ｗｅｂページの所有者（または管理者。以下オーナーという。）は、これらカテゴリー５２Ａの中から、図１０に示すように、希望するカテゴリーを順次選択する。すなわち、ラジオボタン５２Ｂを「使用する」に設定してから、設定ボタン５２Ｃをクリックする。
【００３６】
そして、各カテゴリーには、図７に示すように、詳細ページ（コンテンツを含むＷｅｂページ）をそれぞれ関連付けることができ、選択した各カテゴリーサブメニュー１〜ｎに、それぞれ詳細ページ１〜ｎを設定することができる。
【００３７】
そして、Ｗｅｂサイト構成情報５２には、基本情報５１ごと（すなわち、ＵＲＬまたはＩＰアドレスごと）に選択したカテゴリーがメニュー構成情報としてそれぞれ格納される。
【００３８】
この、Ｗｅｂサイト構成情報５２は、Ｗｅｂサイトの構成を変更する際に随時書き換えられるものであり、オーナーがカテゴリーの選択を変更するたびに更新される。
【００３９】
次に、Ｗｅｂページデータベース６０は、各Ｗｅｂページの構成要素を定義するデータの集合体であり、Ｗｅｂページに表示するデータの位置を定義したレイアウト情報６１と、Ｗｅｂページに表示する挿し絵などの画像情報を定義する画像情報６２と、Ｗｅｂページの背景の色及び模様を定義する背景情報６３と、Ｗｅｂページに掲載するコンテンツ、すなわち、テキストデータや画像、音声、動画などを格納したコンテンツ情報６４と、他のＷｅｂサイトに接続するリンク情報６５及び来訪者からのテキストデータ等を蓄積する問い合わせ情報６６を主体に構成される。
【００４０】
これらＷｅｂページデータベース６０のうち、レイアウト情報６１、画像情報６２、背景情報６３は、予めＷｅｂページデータベース６０に設定された多数のデータの中から、オーナーが選択するものであり、コンテンツ情報６４とリンク情報６５は、オーナーが作成するものである。
【００４１】
もちろん、上記Ｗｅｂサイト構成情報５２で、「関連リンク集」、「ご意見・ご要望」が選択されていない場合には、リンク情報６５、問い合わせ情報６６は使用されない。
【００４２】
ここで、Ｗｅｂページデータベース６０の各要素について、それぞれ説明する。
【００４３】
＜１．レイアウト情報＞
図１１、図１２に示すように、レイアウト情報６１には、カテゴリーなどに応じて予め多数のレイアウトが設定されており、例えば、図１１のレイアウト６１Ａ、６１Ｂは、カバーページ用のレイアウトを示す。
【００４４】
これらレイアウト６１Ａ、６１Ｂでは、図中、「組織名」の位置には、図５に示した基本情報５１のうち、組織名が反映され、同じく「サイト名」も基本情報５１のサイト名が反映される。また、図中、「画像」の位置には、画像情報６２で選択した画像情報、例えば、後述するような挿し絵が表示される。
【００４５】
これらレイアウト情報には、表示する情報がデータベースサーバーシステム５のうち、どの情報と関連付けるか、表示する大きさ、位置及びテキストデータであれば書体が予め設定されている。
【００４６】
これら、多数のレイアウトの選択は、図１１のスクロールバーを操作して、所望のレイアウトを探した後、例えば、図１１のレイアウト６１Ａを選択する場合には、図中名前の欄の「Ｃｏｖｅｒ０１」をクリックすればよく、このレイアウト６１Ａは、カバーページで使用するレイアウトを選択したことになる。なお、メインメニューや各Ｗｅｂページで使用するレイアウトには、例えば、「ＴｙｐｅＸＸ」という名称が付される。
【００４７】
すなわち、図１１のような選択メニューで、各Ｗｅｂページで使用するレイアウトのうち、名前が「Ｔｙｐｅ０１」というレイアウトを選択すると、図１２のように、メインメニューや各Ｗｅｂページで使用されるレイアウト６１Ｃ（Ｔｙｐｅ０１）が表示される。
【００４８】
このレイアウト６１Ｃは、図７〜図９で選択した各カテゴリーまたはメインメニューで使用するレイアウトの一例を示し、組織名、サイト名及び画像は上記と同様であり、「コンテンツ」の位置には、コンテンツ情報６４に格納したテキストデータや画像などの情報が掲載され、ページタイトルには、コンテンツ情報６４に設定された題名が関連付けられる。
【００４９】
さらに、図中、「リンクボタン」には、図７に示したように、各カテゴリーのサブメニューから詳細ページなどへの関連付けが設定され、Ｗｅｂページに表示されたときには、ディスプレイの画面上で、この「リンクボタン」をカーソルでクリック（選択指令）することにより予め設定されたＷｅｂページへ移動することができる。
【００５０】
そして、該当するレイアウト６１ＣをＷｅｂサイトで使用する場合には、図１２に示したラジオボタン６１Ｄ、６１Ｅより、使用「する」、「しない」のいずれか一方を選択した後に、設定ボタン６１Ｆをクリックすることで、表示されたレイアウト情報をどのページで使用するかを設定することができ、この場合、ラジオボタン６１Ｄの使用「する」をチェックすることにより、メインメニューは選択した図示のレイアウト６１により構成されることになり、また、ラジオボタン６１Ｅの使用「する」をチェックすることにより、各Ｗｅｂページが選択した図示のレイアウト６１Ｃに統一されることになる。
【００５１】
なお、上記設定操作は、クライアント２で起動したブラウザ６によって行われ、後述するように、Ｗｅｂサイトシステム３のＷｅｂサイト管理システム３２を介して、データベースサーバーシステム５のレイアウト情報６１に設定内容が格納される。
【００５２】
したがって、Ｗｅｂサイトのレイアウトは、カバーページを「ＣｏｖｅｒＸＸ」という名前のレイアウトの中から選択し、メインメニューまたは各Ｗｅｂページのレイアウトは、「ＴｙｐｅＸＸ」という名前のレイアウトの中から設定すれば、後述するように、リアルタイムでＷｅｂサイトのレイアウトを変更することができ、ＨＴＭＬやｆｔｐの知識を必要とすることなく、簡易かつ迅速に全ページのレイアウトを設定、変更し、かつ、各Ｗｅｂページは、ひとつのレイアウトに統一されて、来訪者にとって、見やすいＷｅｂサイトを容易に構成することができる。
【００５３】
＜２．画像情報＞
図１３に示すように、カバーページ、メインメニュー及び各Ｗｅｂページに表示される挿し絵などの画像情報６２は、予め多数の挿し絵が設定されており、例えば、図１３のように、画像情報６２の選択画面では、挿し絵６２Ａ、６２Ｂ、６２Ｃが表示され、各挿し絵の使用状況が、図中、「カバーページでの使用」、「ＭＡＩＮ  ＭＥＮＵでの使用」及び「各ページでの使用」が○、×によって表示される。なお、「×」は非使用を、「○」は使用中を意味する。
【００５４】
これら挿し絵は、上記レイアウト情報６１に設定されたレイアウトのうち、図１１、図１２に示したように、「画像」の位置に、各レイアウト毎に予め設定された大きさで表示されるものである。
【００５５】
これら、多数の挿し絵の選択は、図１３のスクロールバーを操作して、所望の挿し絵を探した後、例えば、図１３の挿し絵６２Ａを選択する場合には、図中名前の欄の「動物−鳥（大１）」をクリックすればよい。
【００５６】
図１４は、上記図１３の選択メニューから、「地球」という名前の挿し絵６２Ｄを選択した場合を示し、挿し絵６２Ｄのイメージとファイル名などが表示される他、選択した挿し絵６２ＤをＷｅｂサイトのどのページに使用するかを選択するラジオボタン６２Ｅ、６２Ｆ、６２Ｇより、使用「する」、「しない」のいずれか一方を選択した後に、設定ボタン６２Ｈをクリックすることで、表示された挿し絵６２Ｄを使用するページを選択するだけで設定できる。
【００５７】
この場合、ラジオボタン６２Ｅの使用「する」をチェックすることにより、カバーページに選択した挿し絵６２Ｄが表示され、同じくラジオボタン６２Ｆの使用「する」をチェックすることにより、メインメニューに選択した挿し絵６２Ｄが表示され、さらに、ラジオボタン６２Ｇの使用「する」をチェックすることにより、各Ｗｅｂページの画像情報に表示される挿し絵は、選択した６２Ｄに統一されることになる。
【００５８】
なお、上記設定操作は、クライアント２で起動したブラウザ６によって行われ、後述するように、Ｗｅｂサイトシステム３のＷｅｂサイト管理システム３２を介して、データベースサーバーシステム５の画像情報６２に設定内容が格納される。
【００５９】
したがって、Ｗｅｂサイトの各ページに表示される挿し絵などの画像情報６２は、図１３、図１４の選択メニューより設定すれば、後述するように、リアルタイムでＷｅｂサイトに表示される挿し絵などの画像情報６２を設定、変更することができ、ＨＴＭＬやｆｔｐの知識を必要とすることなく、簡易かつ迅速に全ページのレイアウトを設定、変更でき、かつ、各Ｗｅｂページは、ひとつのレイアウトに統一されて、来訪者にとって、見やすいＷｅｂサイトを容易に構成することができる。
【００６０】
＜３．背景情報＞
Ｗｅｂサイトの各ページには、通常、背景が設定されており、背景情報６３は、図１５に示す背景の選択メニューは、カバーページ、メインメニュー及び各Ｗｅｂページで表示される背景を、予め設定された多数の背景から選択するものである。
【００６１】
これら予め設定された背景は、図１５の「名前」に示すように、色または模様で表示され、各背景の使用状況が、図中、「カバーページでの使用」、「ＭＡＩＮ  ＭＥＮＵでの使用」及び「各ページでの使用」が○、×によって表示される。なお、「×」は非使用を、「○」は使用中を意味する。
【００６２】
これら背景は、上記レイアウト情報６１に設定されたレイアウトのうち、図１１、図１２に示したように、各レイアウトの背面に表示されるものである。
【００６３】
これら、多数の背景の選択は、図１５のスクロールバーを操作して、所望の挿し絵を探した後、例えば、図１５の「煉瓦（オレンジ）＆白」という名前の背景６３Ａを選択する場合には、図中名前の欄をクリックすればよい。
【００６４】
図１６は、上記図１５の選択メニューから、「煉瓦（オレンジ）＆白」という名前の背景６３Ａを選択した場合を示し、背景６３Ａのイメージとファイル名などが表示される他、選択した背景６３ＡをＷｅｂサイトのどのページに使用するかを選択するラジオボタン６３Ｂ、６３Ｃ、６３Ｄより、使用「する」、「しない」のいずれか一方を選択した後に、設定ボタン６３Ｅをクリックすることで、表示された背景６３Ａを、どのページで使用するかを設定することができる。
【００６５】
この場合、ラジオボタン６３Ｂの使用「する」をチェックすることにより、カバーページの背景として背景６３Ａが表示され、同じくラジオボタン６３Ｃの使用「する」をチェックすることにより、メインメニューに選択した背景６３Ａが表示され、さらに、ラジオボタン６３Ｄの使用「する」をチェックすることにより、各Ｗｅｂページの背景が選択した背景６３Ａに統一される。
【００６６】
なお、上記設定操作は、クライアント２で起動したブラウザ６によって行われ、後述するように、Ｗｅｂサイトシステム３のＷｅｂサイト管理システム３２を介して、データベースサーバーシステム５の背景情報６３に設定内容が格納される。
【００６７】
したがって、Ｗｅｂサイトの各ページに表示される背景情報６３は、図１５、図１６の選択メニューからマウスなどで設定するだけであり、後述するように、リアルタイムでＷｅｂサイトに表示される背景情報６３を設定、変更することができ、ＨＴＭＬやｆｔｐの知識を必要とすることなく、簡易かつ迅速に全ページの背景を設定、変更でき、かつ、各Ｗｅｂページは、ひとつの背景に統一されて、来訪者にとって、見やすいＷｅｂサイトを容易に構成することができる。
【００６８】
＜４．コンテンツ情報＞
各Ｗｅｂページには、オーナーが作成したテキストデータや画像、音声、動画等からなるコンテンツ情報６４が、図１１、図１２に示したレイアウト情報６１の「コンテンツ」の位置に配置されて、具体的な情報の提供、公開が行われる。
【００６９】
このコンテンツ情報６４の設定または変更は、図１に示したように、クライアント２のブラウザ６から行う場合と、クライアント２のデータベースクライアントシステム８から行う場合の２通りあり、以下それぞれについて説明する。
【００７０】
＜４．１  ブラウザからのコンテンツ管理＞
クライアント２のブラウザ６からコンテンツ情報６４を管理する場合は、図１〜図３に示したＷｅｂサイトシステム３のＷｅｂサイト管理システム３２を介して、データベースサーバーシステム５へコンテンツ情報６４を登録または変更する。
【００７１】
クライアント２のブラウザ６を起動して、図１７に示すコンテンツ管理画面が表示されると、上記図７〜図１０に示したように、Ｗｅｂサイト構成情報５２で設定されたＷｅｂページのカテゴリーが表示される。
【００７２】
図１７の例では、Ｗｅｂサイト構成情報５２に、「ＦＡＱ」、「お知らせ」、「メンバー紹介」、「製品・サービス」及び「組織紹介」を選択している場合を示す。
【００７３】
コンテンツ情報６４を作成あるいは変更したいＷｅｂページのカテゴリーを、図１７の表示画面からマウスのクリック操作により選択すると、図１８に示すように、選択したＷｅｂページの種類６４Ａ、題名６４Ｂ、テキスト情報６４Ｃ、ラジオボタン６４Ｄ、ファイル添付情報６４Ｅ、設定ボタン６４Ｆが表示される。
【００７４】
クライアント２のブラウザ６から、題名６４Ｂ、テキスト情報６４Ｃを作成または貼り付け、あるいは変更した後、ラジオボタン６４Ｄを選択して、Ｗｅｂページへ掲載するか否かを選択する。
【００７５】
そして、設定ボタン６４Ｆをクリックすることにより、図１８に示した、題名６４Ｂ及びテキスト情報６４Ｃは、予め設定されたＷｅｂページ種類６４Ａ（カテゴリー）に関連付けられてＷｅｂページデータベース６０に格納される。
【００７６】
また、画像情報などのコンテンツ情報６４をテキスト情報６４Ｃに関連付けて掲載する際には、図１８に示した、ファイル添付情報６４Ｅに、任意のフォルダ名及びファイル名を挿入すればよい。
【００７７】
したがって、コンテンツ情報６４の新規作成、変更及び掲載の可否を、ブラウザ６から容易に設定でき、また、ラジオボタンを操作することにより迅速に設定内容を反映させることができ、上記と同様に、特別な知識を必要とすることなく、簡易かつ迅速にコンテンツの作成、変更を行うことが可能となり、また、各コンテンツ情報６４は、必ずＷｅｂページに関連付けられているため、前記従来例で述べたように、リンク切れなどを起こすのを防いで、Ｗｅｂサイトの管理に要する労力を大幅に低減することが可能となる。
【００７８】
＜４．２  データベースクライアントシステムからのコンテンツ管理＞
クライアント２のデータベースクライアントシステム８によってコンテンツ情報６４を管理する場合には、図１〜図３に示したように、データベースクライアントシステム８から直接データベースサーバーシステム５のＷｅｂページデータベース６０にコンテンツ情報６４を登録または更新する。
【００７９】
クライアント２のデータベースクライアントシステム８を起動して、図１９に示すコンテンツ管理画面が表示されると、上記図７〜図１０に示したように、Ｗｅｂサイト構成情報５２で設定されたＷｅｂページのカテゴリーが表示される。
【００８０】
図１９の例では、Ｗｅｂサイト構成情報５２に、「ＦＡＱ」、「お知らせ」、「メンバー紹介」、「製品・サービス」及び「組織紹介」を選択している場合を示す。
【００８１】
コンテンツ情報６４を作成あるいは変更したいＷｅｂページのカテゴリーを、図１９の表示画面からマウスのクリック操作により選択すると、図２０に示すように、選択したＷｅｂページの種類６４Ａ’、題名６４Ｂ’、コンテンツ６４Ｇ、ラジオボタン６４Ｄ’、保存ボタン６４Ｈが表示される。
【００８２】
なお、図２０は、データベースサーバーシステム５を構成するＷｅｂページデータベース６０の内容を示しており、この例では、新規にコンテンツ情報６４を登録する場合の表示画面を示す。
【００８３】
クライアント２のデータベースクライアントシステム８から、プルダウンメニューで構成されたＷｅｂページの種類６４Ａ’を選択し、さらに、題名６４Ｂ’へテキストを入力するとともに、コンテンツ６４Ｇに画像、グラフィックス、音声データ、動画データ等を貼り付ける。なお、この貼り付けは、クライアント２で作成した任意のファイルをコピー＆ペーストなどによって行えばよく、もちろん、テキストデータや、ワードプロセッサや表計算などのアプリケーションで作成した書類を貼り付けることができる。
【００８４】
そして、ラジオボタン６４Ｄ’を選択して、Ｗｅｂページへ掲載するか否かを選択した後、保存ボタン６４Ｈをクリックすることにより、コンテンツ情報６４はＷｅｂページデータベース６０に登録される。
【００８５】
こうして、Ｗｅｂページデータベース６０に登録された時点から、作成または変更したコンテンツは、後述するように、リアルタイムでＷｅｂサイトに掲載される。
【００８６】
したがって、テキストデータや画像等の任意のコンテンツ情報６４を作成、変更し、さらに掲載の可否の設定を、データベースクライアントシステム８から容易に行うことができ、前記従来例のような、ｆｔｐアプリケーションなどの特別な知識を必要とすることなく、簡易かつ迅速にコンテンツの作成、変更を行うことが可能となる。
【００８７】
また、各コンテンツ情報６４は、必ずＷｅｂページに関連付けられているため、前記従来例で述べたように、リンク切れなどを起こすのを防いで、Ｗｅｂサイトの管理に要する労力を大幅に低減することが可能となる。
【００８８】
なお、Ｗｅｂページデータベース６０に格納される、リンク情報６５及び問い合わせ情報６６は、基本的にテキストデータであるため、上記コンテンツ情報６４と同様にして、作成、変更及び形成の可否を設定すればよい。
【００８９】
以上のような情報からデータベースサーバーシステム５には、Ｗｅｂサイト構成データベース５０とＷｅｂページデータベース６０がＨＴＭＬファイルを用いることなく構築され、Ｗｅｂサイトシステム３は、図１〜図３に示すように、これらＷｅｂサイト構成データベース５０とＷｅｂページデータベース６０の情報を管理するＷｅｂサイト管理システム３２と、Ｗｅｂサイト構成データベース５０に基づいてカバーページ及びメインメニューをリアルタイムで生成するＷｅｂサイト構成システム３０と、Ｗｅｂページデータベース６０に基づいて、各Ｗｅｂページをリアルタイムで生成するＷｅｂページ生成システム３１の３つのシステムを主体に構成される。
【００９０】
まず、Ｗｅｂサイト管理システム３２について、図４のフローチャートを参照しながら以下に詳述する。なお、図４は、新規にＷｅｂサイトを構築する場合のフローチャートである。
【００９１】
まず、クライアント２は、図１〜図３に示したように、ブラウザ６を起動させてＷｅｂサーバー１に接続した後、図５に示したサイト管理メニュー５０Ｍを開く（ステップＳ１）。
【００９２】
そして、図５において、サイト管理メニュー５０Ｍのうち、基本情報の設定メニュー５１Ｍを選択して、図示のような、組織名、ＵＲＬまたはＩＰアドレス、Ｗｅｂサイトの名前等の基本情報５１を入力して、Ｗｅｂサイト構成データベース５０に登録する（ステップＳ２）。
【００９３】
次に、図９に示すように、サイト管理メニュー５０Ｍのうち、カテゴリーの設定メニュー５２Ｍを選択して、図８のように、カバーページ及びメインメニューの下位に、予め設定されたカテゴリー５２Ａの中から、希望するカテゴリーを選択する（ステップＳ３）。
【００９４】
この選択は、図９、図１０に示すカテゴリー選択メニューから、ラジオボタン５２Ｂ（図１０参照）を選択することで行われ、図６のフローチャートに示すように、Ｗｅｂサイト構成データベース５０のＷｅｂサイト構成情報５２を読み込む（ステップＳ２０）。
【００９５】
そして、各カテゴリー毎に、ラジオボタン５２Ｂの「使用する」、「使用しない」の情報に基づいてフラグのＯＮ、ＯＦＦを判定する（ステップＳ２１）。なお、ラジオボタン５２Ｂが「使用する」の場合にフラグがＯＮとなる一方、「使用しない」場合にはＯＦＦとなる。
【００９６】
そして、フラグがＯＮであれば、選択したカテゴリーをＷｅｂサイト構成情報５２に設定する。
【００９７】
この図６の処理を繰り返すことにより、上記図７に示したように、各カテゴリーサブメニュー１〜ｎに、それぞれ詳細ページ１〜ｎが設定される。
【００９８】
上記ステップＳ２、Ｓ３でＷｅｂサイトの基本構成を決定すると、上記＜１．レイアウト情報＞で述べたように、カバーページ、メインメニュー及び各Ｗｅｂページのレイアウト情報６１の設定を行う（ステップＳ４）。
【００９９】
さらに、ステップＳ５では、上記＜２．画像情報＞で述べたように、各ページの挿し絵を選択し、またステップＳ６では、上記＜３．背景情報＞で述べたように、各ページの背景を選択する。
【０１００】
そして、ステップＳ７では、オーナーが作成したコンテンツ情報６４を、上記＜４．コンテンツ情報＞で述べたように、選択したカテゴリー毎に設定し、Ｗｅｂページデータベース６０に登録する。なお、コンテンツ情報６４の登録は、上記＜４．２＞に示したように、データベースクライアントシステム８によって行っても良い。
【０１０１】
さらに、上記ステップＳ３で、図８、図９に示した「関連リンク集」（リンク情報６５）または「ご意見・ご要望」（問い合わせ情報６６）を選択した場合には、コンテンツ情報６４と同様にして、リンク情報６５の作成ならびに問い合わせ情報６６の準備を行う。
【０１０２】
上記ステップＳ１〜Ｓ９により、ブラウザ６またはデータベースクライアントシステム８によって、Ｗｅｂサイトの構築が完了する。
【０１０３】
すなわち、Ｗｅｂサイトのオーナーは、前記従来例のようなＨＴＭＬやｆｔｐアプリケーションに関する知識を要することなく、容易かつ迅速にＷｅｂサイトを構成することができるのである。
【０１０４】
さらに、構築したＷｅｂサイトの各Ｗｅｂページは、図１２、図１４、図１６に示したように、統一されたレイアウト、挿し絵及び背景を用いるため、オーナーがページ構成の統一に腐心することがなくなって、従来例に比して、Ｗｅｂサイトの構築に要する時間を大幅に短縮することが可能となる。
【０１０５】
また、Ｗｅｂサイトの構成の変更（カテゴリーの変更など）や、コンテンツの変更も上記ステップＳ１〜Ｓ９のうち、必要なものについて実行すればよく、前記従来例のように、ＨＴＭＬファイルの編集やｆｔｐアプリケーションに転送などの複雑かつ専門的な知識を要する作業が不要になり、ブラウザ６によって迅速かつ容易にＷｅｂサイトの運用管理を行うことが可能となって、Ｗｅｂサイトの運営にかかる労力または費用を大幅に低減することができるのである。
【０１０６】
例えば、背景を変更するには、上記ラジオボタン６３Ｂ〜６３Ｄのうち、必要なものについて「使用する」設定にするだけでよく、この後、設定ボタン６３Ｅをクリックした時点から、Ｗｅｂサイトの背景が変更され、オーナーの設定をリアルタイムで反映することが可能となるのである。なお、いままで使用していた背景は、自動的に「使用しない」設定に変更される。
【０１０７】
次に、上記Ｗｅｂサイト管理システム３２で構築されたＷｅｂサイトに、来訪者のアクセスがあると、図１〜図３に示した、Ｗｅｂサイト構成システム３０とＷｅｂページ生成システム３１によって、データベースサーバーシステム５に格納された情報に基づいて、カバーページ、メインメニュー及び各Ｗｅｂページが一時的に生成される。
【０１０８】
これら各ページの生成は、Ｗｅｂサイト構成情報５２、レイアウト情報６１及びコンテンツ情報６４等の予め設定されたデータを、ＨＴＭＬファイルに合成して、ＨＴＴＰサーバーシステム４が来訪者のブラウザへ送信するものである。
【０１０９】
図２１のフローチャートにおいて、まず、ステップＳ３０でＵＲＬまたはＩＰアドレスを読み込むと、ステップＳ３１では、Ｗｅｂサイト構成データベース５０の基本情報５１を読み込んで、該当するＵＲＬのＷｅｂサイト構成情報５２とレイアウト情報６１、画像情報６２及び背景情報６３に基づいてカバーページを生成する。
【０１１０】
次に、ステップＳ３２では、上記図６のステップＳ２１で設定されたフラグに基づいて、メインメニューを生成する。
【０１１１】
すなわち、図２２のフローチャートに示すように、ステップＳ４０で、予め設定されたＷｅｂサイト構成情報５２のカテゴリーを読み込んでから、ステップＳ４１で、上記ステップＳ２１で設定されたフラグより、該当するＷｅｂサイトで使用するカテゴリーを判定する。
【０１１２】
そして、フラグがＯＮとなっているカテゴリーのみを、ステップＳ４２でＨＴＭＬファイルとして生成する。
【０１１３】
上記ステップＳ４０〜Ｓ４２を、読み込んだ各カテゴリーについてそれぞれ実行することにより、Ｗｅｂサイトのオーナーが上記図４のフローチャートで設定した内容に基づいて、図２３に示すように、レイアウト６１Ｃ（図１２参照）、挿し絵６２Ｄ（図１４参照）、背景６３Ａ（図１６参照）、コンテンツの題名６４Ｂ、会社名（組織名）、サイトの説明及びサイト名（図５参照）、カテゴリー５２Ａ（図８、図９参照）がＨＴＭＬファイルとして一時的に生成され、ＨＴＴＰを介して来訪者のブラウザへ送信され、来訪者側のディスプレイには図２３に示すようなメインメニューが表示される。なお、カバーページからメインメニューへの移動は、来訪者側がカバーページに設けたリンクボタン（図示せず）を選択することにより実行される。
【０１１４】
ここで、Ｗｅｂサイト構成情報５２のカテゴリーの設定が、例えば、図２２に示すように、カテゴリー１〜３のうち、カテゴリー１がＯＮ、カテゴリー２がＯＦＦ、カテゴリー３がＯＮの場合には、図２３に示すように、カテゴリー１、３が表示され、このカテゴリー１、３に対応するコンテンツ１、３のコンテンツ題名６４Ｂがサブメニューとして表示される。
【０１１５】
次に、図２１のステップＳ３２では、Ｗｅｂページデータベース６０に設定されているコンテンツ情報６４、リンク情報６５及び問い合わせ情報６６と上記レイアウト情報６１等から各Ｗｅｂページを生成する。
【０１１６】
各Ｗｅｂページの生成は、図２４のフローチャートに示すように、ステップＳ５０で、コンテンツ情報６４からテキスト情報６４Ｃ（図１８参照）やコンテンツ６４Ｇを読み込んでから、各コンテンツ情報６４の掲載、非掲載を示すラジオボタン６４Ｄ、６４Ｄ’（図１８、図２０参照）のＯＮ、ＯＦＦ（掲載する、しない）の情報をフラグとし、ステップＳ５１では、該当するＷｅｂサイトで使用するコンテンツ情報６４（またはリンク情報６５、問い合わせ情報６６）を、フラグの状態に応じて判定する。
【０１１７】
そして、フラグがＯＮとなっているコンテンツ情報６４のみを、ステップＳ５２でＨＴＭＬファイルとして生成する。
【０１１８】
上記ステップＳ５０〜Ｓ５２を、読み込んだ各コンテンツ情報６４についてそれぞれ実行することにより、Ｗｅｂサイトのオーナーが上記図４のフローチャートで設定した内容に基づいて、図２５に示すように、レイアウト６１Ｃ（図１２参照）、挿し絵６２Ｄ（図１４参照）、背景６３Ａ（図１６参照）、コンテンツ６４Ｇまたはテキスト情報６４Ｃ、会社名（組織名）、カテゴリー５２Ａ（図８、図９参照）からなるメニューがＨＴＭＬファイルとして一時的に生成されるとともに、ＨＴＴＰサーバーシステム４を介して来訪者のブラウザへ送信され、来訪者側のディスプレイには図２５に示すようなＷｅｂページが表示される。
【０１１９】
このように、Ｗｅｂサイトシステム３のＷｅｂサイト構成システム３０及びＷｅｂページ生成システム３１は、来訪者の要求に応じて、データベースサーバーシステム５に設定されたＷｅｂサイト構成データベース５０とＷｅｂページデータベース６０より、ＨＴＭＬファイルを一時的に生成し、情報を提供するもので、一時的に生成される各ＨＴＭＬファイルは、Ｗｅｂサーバー１の記憶装置である、メモリないしハードディスク上に格納され、来訪者のアクセスが終了してから所定時間経過した後に消去されるものである。
【０１２０】
したがって、ＷｅｂサイトのオーナーがＨＴＭＬファイルを編集し、ｆｔｐアプリケーションによってＷｅｂサーバーへ転送する作業が不要となって、Ｗｅｂサイトの構成を予め設定された要素から選択し、コンテンツ情報６４、リンク情報６５及び問い合わせ情報６６のみをＷｅｂサーバー１のデータベースサーバーシステム５に登録するだけでよく、この選択、登録及び変更などの作業はブラウザ６を介して、Ｗｅｂサイト管理システム３２を操作すればよいため、前記従来例のように専門的な知識を要することなく、容易にＷｅｂサイトの構築及び運用を行うことが可能となり、Ｗｅｂサイトの運営にかかる労力または費用を大幅に低減することができるのである。
【０１２１】
そして、Ｗｅｂサイトの構成やレイアウトの設定は、予め設定された多数のデータを任意に組み合わせることができるため、前記従来例に比して、多岐にわたるＷｅｂページを多様なデザインで構成することが可能となる。
【０１２２】
さらに、Ｗｅｂサイトの構成やコンテンツの変更も、ブラウザ６を介してＷｅｂサイト管理システム３２を操作するだけでよく、かつ、変更した内容はリアルタイムで来訪者に反映されるため、前記従来例のように、ＨＴＭＬファイルの編集、ｆｔｐアプリケーションによる転送作業などに比して、変更に要する時間を大幅に短縮でき、新しい情報を迅速に来訪者へ提供することが可能となるのである。
【０１２３】
なお、上記実施形態において、クライアント２にデータベースクライアントシステム８を適用した例を示したが、クライアント２には少なくともブラウザ６があればよく、上記したようにブラウザ６を介してＷｅｂサイト管理システム３２からデータベースサーバーシステム５の設定、変更を行っても良い。
【０１２４】
また、上記実施形態では、Ｗｅｂページデータベース６０のうち、レイアウト情報６１、画像情報６２、背景情報６３は、予めＷｅｂページデータベース６０に設定された多数のデータの中から、オーナーが選択するものとしたが、ブラウザ６やデータベースクライアントシステム８等からオーナーが作成したレイアウト情報６１、画像情報６２または背景情報６３を登録、使用するようにしてもよい。
【図面の簡単な説明】
【図１】本発明の一実施形態を示すクライアントサーバーシステムの概略構成図。
【図２】同じくＷｅｂサーバーシステムの構成を示す概念図。
【図３】同じくＷｅｂサーバーシステムの詳細概念図。
【図４】Ｗｅｂサイト管理システムの一例を示すフローチャート。
【図５】基本情報設定メニューを表示した画面の一例を示す。
【図６】Ｗｅｂサイトのカテゴリー構成を示すフローチャート。
【図７】メインメニューからＷｅｂページまでの階層構造を示す概念図。
【図８】カテゴリーの一例を示し、階層構造を示す概念図。
【図９】カテゴリー選択メニューを表示した画面の一例を示す。
【図１０】カテゴリー選択メニューの設定画面の一例を示す。
【図１１】レイアウト選択メニューを表示した画面の一例を示す。
【図１２】レイアウト選択メニューの設定画面の一例を示す。
【図１３】画像情報選択メニューを表示した画面の一例を示す。
【図１４】画像情報選択メニューの設定画面の一例を示す。
【図１５】背景情報選択メニューを表示した画面の一例を示す。
【図１６】背景情報選択メニューの設定画面の一例を示す。
【図１７】ブラウザによるコンテンツ管理メニューを表示した画面の一例を示す。
【図１８】ブラウザによるコンテンツ管理の設定画面の一例を示す。
【図１９】データベースによるコンテンツ管理メニューを表示した画面の一例を示す。
【図２０】データベースによるコンテンツ管理の設定画面の一例を示す。
【図２１】Ｗｅｂサイト構成システム及びＷｅｂページ生成システムの一例を示すフローチャート。
【図２２】メインメニュー生成の一例を示すフローチャート。
【図２３】生成したメインメニューの一例を示す画面。
【図２４】Ｗｅｂページ生成の一例を示すフローチャート。
【図２５】生成したＷｅｂページの一例を示す画面。
【符号の説明】
１  Ｗｅｂサーバー
２  クライアント
３  Ｗｅｂサイトシステム
４  ＨＴＴＰサーバーシステム
５  データベースサーバーシステム
６  ブラウザ
８  データベースクライアントシステム
１０  インターネット
１１  ネットワーク
３０  Ｗｅｂサイト構成システム
３１  Ｗｅｂページ生成システム
３２  Ｗｅｂサイト管理システム
５０  Ｗｅｂサイト構成データベース
５１  基本情報
５２  Ｗｅｂサイト構成情報
６０  Ｗｅｂページデータベース
６１  レイアウト情報
６２  画像情報
６３  背景情報
６４  コンテンツ情報
６５  リンク情報
６６  問い合わせ情報
【図１】
0003737310.tif 000002
【図２】
0003737310.tif 000003
【図３】
0003737310.tif 000004
【図４】
0003737310.tif 000005
【図５】
0003737310.tif 000006
【図６】
0003737310.tif 000007
【図７】
0003737310.tif 000008
【図８】
0003737310.tif 000009
【図９】
0003737310.tif 000010
【図１０】
0003737310.tif 000011
【図１１】
0003737310.tif 000012
【図１２】
0003737310.tif 000013
【図１３】
0003737310.tif 000014
【図１４】
0003737310.tif 000015
【図１５】
0003737310.tif 000016
【図１６】
0003737310.tif 000017
【図１７】
0003737310.tif 000018
【図１８】
0003737310.tif 000019
【図１９】
0003737310.tif 000020
【図２０】
0003737310.tif 000021
【図２１】
0003737310.tif 000022
【図２２】
0003737310.tif 000023
【図２３】
0003737310.tif 000024
【図２４】
0003737310.tif 000025
【図２５】
0003737310.tif 000026